(57)【要約】【課題】身体に無理な負担を強いることなく、スイングに必要な筋力強化を図ることができるゴルフスイング練習具を提供する。【解決手段】  本発明のゴルフスイング練習具は、複数の羽根部と、これらの羽根部をゴルフスイング用の軸部材に着脱可能に取り付ける取り付け部とを備え、前記軸部材に取り付けたときに、羽根部が前記軸部材の軸を中心に放射状に配設されることを特徴とするものである。【選択図】図１
2005270275.tif 000002
【特許請求の範囲】
【請求項１】
複数の羽根部と、これらの羽根部をゴルフスイング用の軸部材に着脱可能に取り付ける取り付け部とを備え、前記軸部材に取り付けたときに、羽根部が前記軸部材の軸を中心に放射状に配設されることを特徴とするゴルフスイング練習具
【請求項２】
羽根部が、軸部材に対して回動可能に設けられていることを特徴とする請求項１記載のゴルフスイング練習具。
【請求項３】
軸部材から取り外したときに、羽根部が折り畳み可能であることを特徴とする請求項１または２記載のゴルフスイング練習具。
【発明の詳細な説明】
【技術分野】
【０００１】
本発明は、ゴルフスイング練習具に関するものである。
【背景技術】
【０００２】
従来、ゴルフスイング練習具としては、ゴルフクラブのシャフトまたはヘッドに重錘を装着させてなるものがある。しかし、このような練習具では、スイング時に重錘による遠心力が発生し、身体に無理な負担を強いるだけで、スイングに必要な筋力強化には効果がない。そればかりか、かえってスイングフォームのバランスを崩してしまうという問題もある。
【０００３】
そこで、次のようなゴルフスイング練習具が提案されている（例えば特許文献１参照）。このゴルフスイング練習具は、重錘の代わりに軽量材料からなる空気抵抗体を取り付け、スイング時の空気抵抗を大きくすることにより、スイング時の筋力強化を図ろうとするものである。
【特許文献１】実開昭５９−１７５号公報
【発明の開示】
【発明が解決しようとする課題】
【０００４】
しかしながら、上記のゴルフスイング練習具は、空気抵抗体がウレタンフォーム、発泡スチロールなどの軽量材料を球体、円柱体、立方体などの多面体に形成してなるもので、十分な空気抵抗を受けにくいという問題がある。
また、前記空気抵抗体は、シャフトに固着されるので、実際のプレー時に使用するゴルフクラブでのスイングの練習ができないという問題もある。
【課題を解決するための手段】
【０００５】
本発明のゴルフスイング練習具は、上記問題点に鑑みて提案されたものであって、
複数の羽根部と、これらの羽根部をゴルフスイング用の軸部材に着脱可能に取り付ける取り付け部とを備え、前記軸部材に取り付けたときに、羽根部が前記軸部材の軸を中心に放射状に配設されることを特徴とするものである。
また、羽根部は、軸部材に対して回動可能であってもよい。
さらに、軸部材から取り外したときに、羽根部が折り畳めるものであってもよい。
【発明の効果】
【０００６】
本発明のゴルフスイング練習具は、複数の羽根部が前記軸部材の軸を中心に放射状に配設されているので、スイング時の空気抵抗を各羽根部で十分に受けることができる。その結果、身体に無理な負担を強いることなく、スイングに必要な筋力強化を図ることができる。また、本発明のゴルフスイング練習具は、ゴルフクラブに取り付けることができるので、実際にプレー時に使用するゴルフクラブでスイングの練習をすることができる。したがって、1本のゴルフクラブで足りるので経済的であるだけでなく、グリップやシャフトの寸法差による違和感などがなく、快適に練習およびプレーをすることができるという利点もある。
【０００７】
また、羽根部を軸部材に対して回動可能に設けたものでは、スイング時、具体的にはトップスイングからダウンスイング、インパクト時、フォロースルーに至るまでの各動作時に、空気抵抗体が受ける空気抵抗の向きによって、羽根部が軸部材に対して時計回りまたは反時計回りに回動する。練習者は、各動作時における自分のスイングフォームの癖とその程度を視認することができるので、自分のスイングフォームの癖を矯正して、正しいスイングフォームを体得することができる。
【０００８】
さらに、軸部材から取り外したときに、羽根部が折り畳めるものでは、保管時に小型化できるので、収納場所に困らず便利である。
【発明を実施するための最良の形態】
【０００９】
以下に、本発明の一実施形態について詳細に説明する。
【００１０】
本実施形態のゴルフスイング練習具１は、図１に示すように、羽根部２と、この羽根部２をシャフトBに着脱可能に取り付ける取り付け部３とを備えて構成されている。
【００１１】
取り付け部３は、取り付け本体４と、取り付け本体４を着脱可能にシャフトBに取り付ける着脱部５と、シャフトBへ取り付けたときに、シャフトBの軸方向へ取り付け本体５が移動するのを阻止するストッパー６とを備えている。取り付け本体４は、可撓性を有する合成樹脂製の薄肉の板材から形成されており、シャフトBの外周面を覆うように略長方形状に形成されている。そして、取り付け本体４の縦方向長さは、シャフトBの軸方向中央部からヘッドCの根元部までの長さとほぼ等しく、幅方向長さは、取り付け本体４をシャフトBに取り付けたときに、シャフトBの外径よりも一回り大径となるように、シャフトBの外周長さよりやや長く形成されている。
【００１２】
着脱部５は、取り付け本体４と同様に合成樹脂製であって、取り付け本体４の幅方向両端部を着脱可能に連結するものである。具体的には、図１から図４に示すように、取り付け本体４の幅方向一端部に形成される係止部７と、幅方向他端部に形成される被係止部８とを備えている。
係止部７は、中央に嵌合穴７１を有する略矩形の係止片７２からなり、取り付け本体４の上下両端部と中央部の合計３ヶ所に、取り付け本体４に一体に設けられている。一方、被係止部８は、係止部７の各嵌合穴７１に嵌合可能な突部８１からなり、係止部７と同様に、取り付け本体４の上下両端部と中央部の合計３ヶ所に、取り付け本体４に一体に設けられている。
【００１３】
羽根部２は、軽量かつ強度のある合成樹脂製の肉薄の板材からなり、一端部が直線状で他端部が円弧状の略半円形状に形成されている。羽根部２は、図１、図２に示すように、６枚の羽根２１〜２６で構成されており、羽根部２の一端部には、羽根部２の厚み幅よりも幅広の補強リブ９が連設されている。羽根部２は、補強リブ９を介して取り付け本体４に固着されており、各羽根２１〜２６は、取り付け本体４に対して略等間隔に配設されている。
【００１４】
ストッパー６は、径方向に弾性変形可能な材質、例えば合成ゴムなどでリング状に形成されている。ストッパー６の内径は、自然状態において、シャフトBの外径よりも小径となっている。
【００１５】
以上のように構成されたゴルフスイング練習具１の使用手順について説明する。まず、ゴルフスイング練習具１をゴルフクラブAに取り付ける。具体的には、取り付け本体４における羽根部２の取り付け側と反対の面が、ゴルフクラブAのシャフトBの外周面に対向するように配置し、取り付け本体４をシャフトBに巻きつける。そして、係止部７の係止片７２を被係止部８側の端部に重ね合わせ、各突部８１を各嵌合穴７１に嵌め込み、係止部７を被係止部８に係止させる。ゴルフスイング練習具１は、図１に示すように、シャフトBの軸方向中央部からヘッドCの根元部までの間に配置されるとともに、取り付け本体４がシャフトBに対して所定間隔離間した状態で設けられる。一方、羽根部２は、シャフトBの軸を中心に放射状に配設される。最後に、ストッパー６をグリップD側からシャフトBに挿通し、取り付け本体５の上方に配置させる。
【００１６】
次に、練習者は、ゴルフスイング練習具１を取り付けたゴルフクラブAによりスイング練習をする。
【００１７】
スイング練習時には、羽根部２が空気抵抗を受けて、シャフトBに対して時計回りまたは反時計回りに回動する。練習者は、トップスイングからダウンスイング、インパクト時、フォロースルーに至るまでの各動作時に、羽根部２がどちら向きに回転するかを視認することにより、自分のスイングフォームの癖とその程度を認識することができる。したがって、自分のスイングフォームの癖を矯正して、正しいスイングフォームを体得することができる。
【００１８】
使用後は、取り付け手順と逆に、まず、ストッパー６をゴルフクラブAから取り外し、次に、取り付け部３をシャフトBから取り外す。そして、図４に示すように、取り付け本体４を平面状に広げて、各羽根部２が重なり合うように一方側に折り畳む。このようにすれば、放射状に配置される各羽根部２が一箇所にまとめられるので、ゴルフスイング練習具１全体の大きさが小型化でき、保管しやすい。
【００１９】
なお、着脱部５の機構は、本実施形態に述べたものに限定されるものではなく、取り付け本体４の幅方向両端部を着脱可能に連結できる機構を備えていればよい。すなわち、例えば、係止部７に係合爪を形成し、被係止部８に係合穴を形成して、着脱可能に係合させる機構であってもよいし、係止部７と被係止部８とにそれぞれ磁石を取り付けて吸着させる機構であってもよい。
【００２０】
また、本実施形態のゴルフスイング練習具１は、ストッパー６を有しているが、ストッパー６の材質、形状、機構などは、上述したものに限られない。ストッパー６は、取り付け本体４の移動を阻止できるものであればよい。例えば、ロープやひもをシャフトBに結び付けてもよいし、一対の把持片を備えたクリップなどをシャフトBに取り付けてもよい。
【００２１】
また、羽根部２、取り付け本体４および着脱部５は、合成樹脂製に限られず、例えば紙材で構成しても構わない。また、羽根部２の羽根の枚数は６枚に限られることはなく、これ以下でもこれ以上であっても構わない。
【００２２】
さらに、本実施形態のゴルフスイング練習具１は、羽根部２がシャフトBに対して回動する構成としたが、羽根部２が回動しない構成であってもよい。羽根部２は、空気抵抗を効果的に受けるので、身体に無理な負担を強いることなく、スイングに必要な筋力強化を図ることができる。なお、この場合は、取り付け本体４をシャフトBに固定させればよいので、ストッパー６は不要である。
【産業上の利用可能性】
【００２３】
本実施形態のゴルフスイング練習具１は、ゴルフクラブに取り付けることを前提としたものであるが、取り付ける対象は、ゴルフクラブに限定されるものではない。例えば、テニス、剣道などスイングを伴うスポーツの練習時にも活用でき、ラケットや竹刀、さらには、適当な形状の棒に取り付けて使用することもできる。また、当然のことながら、スイング練習具の大きさおよび形状は、取り付ける対象に応じて適宜変更すればよい。
【図面の簡単な説明】
【００２４】
【図１】本実施形態のゴルフスイング練習具１の取り付け状態を示す斜視図。
【図２】図１に示すゴルフスイング練習具１の要部を示す説明図。
【図３】図２に示すゴルフスイング練習具１の要部を示す説明図。
【図４】図１に示すゴルフスイング練習具１を折り畳んだ状態を示す斜視図。
【符号の説明】
【００２５】
１    ゴルフスイング練習具
２    羽根部
３    取り付け部
B    シャフト（軸部材）
【図１】
2005270275.tif 000003
【図２】
2005270275.tif 000004
【図３】
2005270275.tif 000005
【図４】
2005270275.tif 000006